(57)【要約】      （修正有）【課題】抗電磁波干渉能力を高め、信号伝送の安定性及び良好な信号完全性を保証することができる新型高速信号ケーブルコネクターを提供する。【解決手段】プラスチック外ケース１、プラスチック本体２、接線端子３、遮蔽ケース４、遮蔽リング５、後蓋６、ケーブル７を有する。接線端子３はプラスチック本体２の内部へと挿入する。遮蔽リング５の一端にはケーブル７の芯線外被を緊密に嵌合する。接線端子３を挿入したプラスチック本体２と遮蔽リング５をいっしょに遮蔽ケース４の一端内に押し込む。遮蔽ケース４をプラスチック外ケース１内に押し込む。後蓋６をプラスチック外ケース１内に挿入する。遮蔽ケース４は一体式設計を採用し、プレス方式を通して遮蔽リング５、ケーブル７といっしょにリベットプレスし、抗電磁波干渉能力を高め、信号伝送の安定性及び良好な信号完全性を保証する。プラスチック外ケース１と後蓋６の連接方式は係合槽連接で、便利に抜き差しできる。【選択図】図２
0003215995.tif 000002
【実用新案登録請求の範囲】
【請求項１】
新型高速信号ケーブルコネクターであって、
プラスチック外ケース、プラスチック本体、接線端子、遮蔽ケース、遮蔽リング、後蓋、ケーブルを有し、
前記ケーブルは、芯線外被と芯線導体を有し、
前記接線端子は、プラスチック本体内部へ挿入されており、
前記遮蔽リングの一端は、ケーブルの芯線外被に緊密に嵌合され、
前記ケーブルを、遮蔽リングに挿入後、ケーブルの芯線導体は、接線端子に挿入され、
前記接線端子を挿入したプラスチック本体と遮蔽リングがいっしょに、遮蔽ケースの一端内に押し込まれており、
前記遮蔽ケースが、プラスチック外ケース内に押し込まれており、
前記後蓋とプラスチック外ケースは対応し、
前記後蓋がプラスチック外ケース内に挿入されており、
前記遮蔽ケースの一端は円形で、もう一端は方形で、
遮蔽ケースは、一体式設計を採用し、プレス方式を通して、遮蔽リング、ケーブルといっしょにリベットプレスされており、
抗電磁波干渉能力が高く、信号伝送の安定性及び良好な信号完全性を保証することができることを特徴とする、
新型高速信号ケーブルコネクター。
【請求項２】
前記遮蔽リングの一端は大円で、もう一端は小円構造で、大円の一端には、ケーブルを連接し、小円の一端は、芯線外被を緊密に嵌合することを特徴とする請求項１に記載の新型高速信号ケーブルコネクター。
【請求項３】
前記プラスチック外ケースは、プラスチックにより製造し、方形槽状構造を呈することを特徴とする請求項１に記載の新型高速信号ケーブルコネクター。
【請求項４】
前記プラスチック外ケースの内側には、係合槽を設置し、前記後蓋上には、係合辺と係合点を設置し、前記後蓋の両側には、嵌合孔を設置し、前記後蓋の係合辺とプラスチック外ケースの係合槽は、互相に対応し、後蓋は、係合辺と係合槽を通して、プラスチック外ケースに挿し入れられ、後蓋は、係合点と両側の嵌合孔を用いて、プラスチック外ケースと堅固に係合して固定され、プラスチック外ケースと後蓋の連接方式は係合槽連接で、便利に組み付けられることを特徴とする請求項１に記載の新型高速信号ケーブルコネクター。
【請求項５】
前記プラスチック本体は、少なくとも４個の方形孔を有する方形プラスチック本体で、前記プラスチック本体の少なくとも４個の方形孔には、接線端子を挿入することを特徴とする請求項１に記載の新型高速信号ケーブルコネクター。
【考案の詳細な説明】
【技術分野】
【０００１】
本考案は高速信号ケーブルコネクターに関し、特にＨＳＣプラガブル式車用高速信号ケーブルコネクターに関する。
【背景技術】
【０００２】
テクノロジーの進歩に従い、車用ＩＴエンターテイメントシステムの応用はますます豊富になっている。
さらに、人々のデータ伝送速度に対する要求もますます高くなっている。
このため、システム間の抗電磁波干渉（ＥＭＩ）能力もますます重要になっており、コネクターの設計に対する要求はさらに高まっている。
【０００３】
市場で現在見られる製品である遮蔽ケースリベットプレスケーブルは、二枚式分離設計で、全体的な封鎖遮蔽を実現することはできず、抗電磁波干渉（ＥＭＩ）効果に限界があり、次世代車用信号ケーブルコネクターに対するより高い要求に応えることはできない。
【考案の概要】
【考案が解決しようとする課題】
【０００４】
前記先行技術には、抗電磁波干渉（ＥＭＩ）効果に限界があり、次世代車用信号ケーブルコネクターに対するより高い要求に応えることはできない欠点がある。
【課題を解決するための手段】
【０００５】
本考案はコネクターの抗電磁波干渉能力を高めることにより、高速信号の安定伝送を実現し、同時に構造上で緊密化設計を実現する新型高速信号ケーブルコネクターに関する。
【０００６】
本考案による新型高速信号ケーブルコネクターは、プラスチック外ケース、プラスチック本体、接線端子、遮蔽ケース、遮蔽リング、後蓋、ケーブルを有する。
該ケーブルは、芯線外被と芯線導体を有する。
該接線端子は、プラスチック本体内部へと挿入する。
該遮蔽リング一端には、ケーブルの芯線外被を緊密に嵌合する。
該ケーブルを、遮蔽リングに挿入後、ケーブルの芯線導体は、接線端子に挿入される。
該接線端子を挿入したプラスチック本体と遮蔽リングをいっしょに、遮蔽ケース一端内に押し込む。
該遮蔽ケースを、プラスチック外ケース内に押し込む。
該後蓋とプラスチック外ケースは対応する。
該後蓋をプラスチック外ケース内に挿入する。
【０００７】
さらに好ましくは、該遮蔽ケース一端は円形で、もう一端は方形で、遮蔽ケースは、一体式設計を採用し、プレス方式を通して、遮蔽リング、ケーブルといっしょにリベットプレスし、抗電磁波干渉能力を高め、信号伝送の安定性及び良好な信号完全性を保証することができる。
【０００８】
さらに好ましくは、該遮蔽リング一端は大円で、もう一端は小円構造である。
大円一端には、ケーブルを連接する。
小円一端は、芯線外被を緊密に嵌合する。
【０００９】
さらに好ましくは、プラスチック外ケースは、プラスチックにより製造し、方形槽状構造を呈する。
【００１０】
さらに好ましくは、該プラスチック外ケース内側には、係合槽を設置し、該後蓋上には、係合辺と係合点を設置する。
該後蓋両側には、嵌合孔を設置する。
該後蓋の係合辺とプラスチック外ケースの係合槽は、互相に対応する。
後蓋は、係合辺と係合槽を通して、プラスチック外ケースに挿し入れられる。
後蓋は、係合点と両側嵌合孔を用いて、プラスチック外ケースと堅固に係合して固定される。
プラスチック外ケースと後蓋の連接方式は係合槽連接で、便利に取り付けられる。
【００１１】
さらに好ましくは、該プラスチック本体は、少なくとも４個の方形孔を有する方形プラスチック本体である。
該プラスチック本体の少なくとも４個の方形孔には、接線端子を挿入する。
【考案の効果】
【００１２】
上述の技術方案を採用したことによる本考案の効果は以下の通りである。
従来の技術方案に比べ、本新型高速信号コネクターは、遮蔽ケースが一体式設計を採用し、プレス方式を通して、遮蔽リング、ケーブルといっしょにリベットプレスし、抗電磁波干渉能力を高め、信号伝送の安定性及び良好な信号完全性を保証することができるため、次世代車用高速コネクターの要求に応えることができる。
【図面の簡単な説明】
【００１３】
【図１】本考案による新型高速信号コネクターの立体図である。
【図２】本考案による新型高速信号コネクターの分解図である。
【図３】本考案による遮蔽ケースリベットプレスの模式図である。
【考案を実施するための形態】
【００１４】
（一実施形態）
図１、図２、図３に示す通り、新型高速信号コネクターは、プラスチック外ケース１、プラスチック本体２、接線端子３、遮蔽ケース４、遮蔽リング５、後蓋６、ケーブル７を有する。
ケーブル７は、芯線外被と芯線導体を有する。
接線端子３は、プラスチック本体２の内部へと挿入する。
遮蔽リング５の一端には、ケーブル７の芯線外被を緊密に嵌合する。
ケーブル７を、遮蔽リング５に挿入後、ケーブルの芯線導体は、接線端子３に挿入される。
接線端子３を挿入したプラスチック本体２と遮蔽リング５をいっしょに、遮蔽ケース４の一端内に押し込む。
遮蔽ケース４を、プラスチック外ケース１内に押し込む。
後蓋６とプラスチック外ケース１は対応する。
後蓋６をプラスチック外ケース１内に挿入する。
遮蔽ケース４の一端は円形で、もう一端は方形で、遮蔽ケース４は、一体式設計を採用し、プレス方式を通して、遮蔽リング５、ケーブル７といっしょにリベットプレスし、抗電磁波干渉能力を高め、信号伝送の安定性及び良好な信号完全性を保証することができる。
遮蔽リング５の一端は大円で、もう一端は小円構造である。
大円の一端には、ケーブル７を連接する。
小円の一端には、接線端子３を挿入する３。
プラスチック外ケース１は、プラスチックにより製造し、方形槽状構造を呈する。
プラスチック外ケース１の内側には、係合槽を設置し、後蓋６上には、係合辺と係合点を設置する。
後蓋６の両側には、嵌合孔を設置する。
後蓋６の係合辺とプラスチック外ケース１の係合槽は、互相に対応する。
後蓋６は、係合辺と係合槽を通して、プラスチック外ケース１に挿し入れられる。
後蓋６は、係合点と両側の嵌合孔を用いて、プラスチック外ケース１と堅固に係合して固定される。
プラスチック外ケース１と後蓋６の連接方式は係合槽連接で、便利に取り付けられる。
プラスチック本体２は、少なくとも４個の方形孔を有する方形プラスチック本体である。
プラスチック本体２の少なくとも４個の方形孔には、接線端子３を挿入する。
【００１５】
図１、図２、図３に示す通り、新型高速信号コネクターの具体的な実施方式は以下の通りである。
接線端子３は、プラスチック本体２の内部へと挿入する。
遮蔽リング５の一端には、接線端子３を挿入する。
接線端子３を挿入したプラスチック本体２と遮蔽リング５をいっしょに、遮蔽ケース４の一端内に押し込む。
遮蔽ケース４を、プラスチック外ケース１内に押し込む。
後蓋６は、プラスチック外ケース１内に挿入される。
遮蔽ケース４は、一体式設計を採用し、プレス方式を通して、遮蔽リング５、ケーブル７といっしょにリベットプレスし、抗電磁波干渉能力を高め、信号伝送の安定性及び良好な信号完全性を保証することができる。
【００１６】
技術的常識から分かるように、本技術方案は、その実質的精神或いは必要な特徴を離脱しない他の実施方案により実現される。
よって、上述の実施方案は、各部分において、例示に過ぎない。
前述した本考案の実施形態は本考案を限定するものではなく、よって、本考案により保護される範囲は後述される実用新案登録請求の範囲を基準とする。
【符号の説明】
【００１７】
１  プラスチック外ケース
２  プラスチック本体
３  接線端子
４  遮蔽ケース
５  遮蔽リング
６  後蓋
７  ケーブル
【図１】
0003215995.tif 000003
【図２】
0003215995.tif 000004
【図３】
0003215995.tif 000005